(57)【特許請求の範囲】
【請求項１】
空調部と、本体部と、当該本体部から水平方向に突出した突出部を有し、前記本体部の内部には一定の容積を有する主試験室があり、前記空調部は前記主試験室に空気の出入り口があって前記主試験室に所望の環境を形成することが可能であり、
前記突出部内に前記主試験室と連通する副試験室があり、
前記本体部は、前記主試験室を開閉可能であり、被試験物を前記主試験室に出し入れ可能な扉を有し、
前記突出部は前記副試験室を開閉可能な扉を有し、
前記副試験室は前記主試験室の扉に取付けられた断熱箱により構成されており、
被試験物を前記副試験室に配置して試験を行うこと、及び、被試験物を前記主試験室に配置して試験を行うことが可能であることを特徴とする環境試験装置。
【請求項２】
前記副試験室を貫通する貫通孔を有することを特徴とする請求項１に記載の環境試験装置。
【請求項３】
前記主試験室と前記副試験室の間を一時的に遮蔽する遮蔽部材を有することを特徴とする請求項１又は２に記載の環境試験装置。
【請求項４】
前記副試験室を環境試験装置の他の部材に対して相対的に移動または姿勢変更することが可能であることを特徴とする請求項１乃至３のいずれかに記載の環境試験装置。
【請求項５】
前記本体部に前記空調部が配されていることを特徴とする請求項１乃至４のいずれかに記載の環境試験装置。
【請求項６】
前記副試験室が中空に張り出していることを特徴とする請求項１乃至５のいずれかに記載の環境試験装置。
【請求項７】
環境試験装置と、被試験物に外力を与える外力付与装置を有し、
前記環境試験装置は、断熱壁で囲まれた断熱領域を有していて所定の環境を形成することができるものであり、
前記外力付与装置は、他部材を着脱可能に保持する保持部材と、当該保持部材を動作させる駆動部を有し、
前記被試験物又は前記被試験物に接続された繋ぎ部材を前記保持部材で保持し、前記被試験物の少なくとも一部を前記断熱領域内に配置した状態で前記駆動部を動作させ、前記被試験物に外力を与える複合試験装置において、
前記環境試験装置は前記断熱領域内と前記環境試験装置外とを連通する貫通孔を有し、
前記被試験物の一部または前記繋ぎ部材が前記貫通孔に挿通されて前記被試験物と前記保持部材が繋がり、或いは前記貫通孔を経由して前記保持部材が前記断熱領域内に配されるものであり、
前記環境試験装置は、主試験室と、当該主試験室と連通する副試験室を有し、
前記貫通孔は前記副試験室に設けられ、前記被試験物の少なくとも一部を前記副試験室に配置して試験を行うことが可能であって、
前記主試験室に空気の出入り口がある空調部と、前記主試験室と前記副試験室の間を一時的に遮蔽する遮蔽部材と、前記環境試験装置の壁に設けられたスリットを有し、
前記遮蔽部材は前記スリットから差し入れされるものであることを特徴とする複合試験装置。
【請求項８】
環境試験装置と、被試験物に外力を与える外力付与装置を有し、
前記環境試験装置は、断熱壁で囲まれた断熱領域を有していて所定の環境を形成することができるものであり、
前記外力付与装置は、他部材を着脱可能に保持する保持部材と、当該保持部材を動作させる駆動部を有し、
前記被試験物又は前記被試験物に接続された繋ぎ部材を前記保持部材で保持し、前記被試験物の少なくとも一部を前記断熱領域内に配置した状態で前記駆動部を動作させ、前記被試験物に外力を与える複合試験装置において、
前記環境試験装置は前記断熱領域内と前記環境試験装置外とを連通する貫通孔を有し、
前記被試験物の一部または前記繋ぎ部材が前記貫通孔に挿通されて前記被試験物と前記保持部材が繋がり、或いは前記貫通孔を経由して前記保持部材が前記断熱領域内に配されるものであり、
前記環境試験装置は、主試験室と、副試験室と、当該副試験室を開閉可能な扉を有し、
前記副試験室は、前記主試験室と連通するものであって、
前記貫通孔は前記副試験室に設けられ、前記被試験物の少なくとも一部を前記副試験室に配置して試験を行うことが可能であって、
前記主試験室に空気の出入り口がある空調部と、前記主試験室と前記副試験室の間を一時的に遮蔽する遮蔽部材を有し、
前記遮蔽部材は前記扉と連動して開閉されるものであることを特徴とする複合試験装置。
【請求項９】
環境試験装置と、被試験物に外力を与える外力付与装置を有し、
前記環境試験装置は、断熱壁で囲まれた断熱領域を有していて所定の環境を形成することができるものであり、
前記外力付与装置は、他部材を着脱可能に保持する保持部材と、当該保持部材を動作させる駆動部を有し、
前記被試験物又は前記被試験物に接続された繋ぎ部材を前記保持部材で保持し、前記被試験物の少なくとも一部を前記断熱領域内に配置した状態で前記駆動部を動作させ、前記被試験物に外力を与える複合試験装置において、
前記環境試験装置は前記断熱領域内と前記環境試験装置外とを連通する貫通孔を有し、
前記被試験物の一部または前記繋ぎ部材が前記貫通孔に挿通されて前記被試験物と前記保持部材が繋がり、或いは前記貫通孔を経由して前記保持部材が前記断熱領域内に配されるものであり、
前記環境試験装置は、主試験室と、当該主試験室を開閉可能な扉と、当該扉に取付けられた副試験室を有し、
前記副試験室は、前記主試験室と連通し、
前記貫通孔は前記副試験室に設けられ、前記被試験物の少なくとも一部を前記副試験室に配置して試験を行うことが可能であることを特徴とする複合試験装置。
【請求項１０】
環境試験装置と、被試験物に外力を与える外力付与装置を有し、
前記環境試験装置は、断熱壁で囲まれた断熱領域を有していて所定の環境を形成することができるものであり、
前記外力付与装置は、他部材を着脱可能に保持する保持部材と、当該保持部材を動作させる駆動部を有し、
前記被試験物又は前記被試験物に接続された繋ぎ部材を前記保持部材で保持し、前記被試験物の少なくとも一部を前記断熱領域内に配置した状態で前記駆動部を動作させ、前記被試験物に外力を与える複合試験装置において、
前記環境試験装置は前記断熱領域内と前記環境試験装置外とを連通する貫通孔を有し、
前記被試験物の一部または前記繋ぎ部材が前記貫通孔に挿通されて前記被試験物と前記保持部材が繋がり、或いは前記貫通孔を経由して前記保持部材が前記断熱領域内に配されるものであり、
主試験室と、当該主試験室と連通する副試験室があり、
前記貫通孔が当該副試験室に設けられ、前記被試験物の少なくとも一部を前記副試験室に配置して外力を付与する試験を行い、
被試験物を前記主試験室に配置して環境試験を行うことも可能であることを特徴とする複合試験装置。
【請求項１１】
乾燥気体供給源または負圧発生源のうちの少なくとも１つを有し、前記貫通孔が前記乾燥気体供給源または前記負圧発生源に接続されていることを特徴とする請求項７乃至１０のいずれかに記載の複合試験装置。
【請求項１２】
前記副試験室の断熱壁にブロック体が内蔵され、当該ブロック体に前記貫通孔が設けられており、
前記ブロック体は上下面に設けられたリブと、当該リブに囲まれた当該ブロック体の外周面に設けられた凹部と、当該凹部に設けられ前記貫通孔に連通する第２の貫通孔を有することを特徴とする請求項７乃至１１のいずれかに記載の複合試験装置。
【請求項１３】
前記副試験室の断熱壁にブロック体が内蔵され、当該ブロック体に前記貫通孔が設けられており、
前記ブロック体は前記断熱壁内で移動可能であることを特徴とする請求項７乃至１２のいずれかに記載の複合試験装置。
【請求項１４】
被試験物に外力を与える外力付与装置と組み合わされて使用される環境試験装置であって、断熱壁で囲まれた断熱領域を有していて所定の環境を形成することができるものであり、
前記断熱領域内と前記環境試験装置外とを連通する貫通孔を有し、
前記貫通孔を介して前記外力付与装置と組み合わせ、前記外力付与装置と連携させて他の部材の少なくとも一部を前記断熱領域内に配置することができ、
主試験室と、当該主試験室と連通する副試験室を有し、
前記貫通孔は前記副試験室に設けられ、前記被試験物の少なくとも一部を前記副試験室に配置して試験を行うことが可能であって、
前記主試験室に空気の出入り口がある空調部と、前記主試験室と前記副試験室の間を一時的に遮蔽する遮蔽部材と、前記環境試験装置の壁に設けられたスリットを有し、
前記遮蔽部材は前記スリットから差し入れされるものであることを特徴とする環境試験装置。
【請求項１５】
被試験物に外力を与える外力付与装置と組み合わされて使用される環境試験装置であって、断熱壁で囲まれた断熱領域を有していて所定の環境を形成することができるものであり、
前記断熱領域内と前記環境試験装置外とを連通する貫通孔を有し、
前記貫通孔を介して前記外力付与装置と組み合わせ、前記外力付与装置と連携させて他の部材の少なくとも一部を前記断熱領域内に配置することができ、
主試験室と、当該主試験室と連通する副試験室を有し、当該副試験室を開閉可能な扉を有し、
前記副試験室には前記貫通孔があり、
前記主試験室に空気の出入り口がある空調部と、前記主試験室と前記副試験室の間を一時的に遮蔽する遮蔽部材を有し、
前記遮蔽部材は前記扉と連動して開閉されるものであることを特徴とする環境試験装置。
【請求項１６】
被試験物に外力を与える外力付与装置と組み合わされて使用される環境試験装置であって、断熱壁で囲まれた断熱領域を有していて所定の環境を形成することができるものであり、
前記断熱領域内と前記環境試験装置外とを連通する貫通孔を有し、
前記貫通孔を介して前記外力付与装置と組み合わせ、前記外力付与装置と連携させて他の部材の少なくとも一部を前記断熱領域内に配置することができ、
主試験室と、当該主試験室を開閉可能な扉と、当該扉に取付けられた副試験室を有し、
前記副試験室は、前記主試験室と連通し、
前記貫通孔は前記副試験室に設けられ、前記被試験物の少なくとも一部を前記副試験室に配置して試験を行うことが可能であることを特徴とする環境試験装置。
【請求項１７】
被試験物に外力を与える外力付与装置と組み合わされて使用される環境試験装置であって、断熱壁で囲まれた断熱領域を有していて所定の環境を形成することができるものであり、
前記断熱領域内と前記環境試験装置外とを連通する貫通孔を有し、
前記貫通孔を介して前記外力付与装置と組み合わせ、前記外力付与装置と連携させて他の部材の少なくとも一部を前記断熱領域内に配置することができ、
主試験室と、当該主試験室と連通する副試験室があり、
前記貫通孔が当該副試験室に設けられ、前記被試験物の少なくとも一部を前記副試験室に配置して外力を付与する試験を行い、
被試験物を前記主試験室に配置して環境試験を行うことも可能であることを特徴とする環境試験装置。
【請求項１８】
被試験物に外力を与える外力付与装置と組み合わされて使用される環境試験装置であって、断熱壁で囲まれた断熱領域を有していて所定の環境を形成することができるものであり、
前記断熱領域内と前記環境試験装置外とを連通する貫通孔を有し、
前記貫通孔を介して前記外力付与装置と組み合わせ、前記外力付与装置と連携させて他の部材の少なくとも一部を前記断熱領域内に配置することができ、
前記環境試験装置は、主試験室と、当該主試験室を開閉可能な扉と、当該扉に取付けられた副試験室を有し、
前記副試験室は、前記主試験室と連通するものであって、
前記貫通孔は前記副試験室に設けられ、前記被試験物の少なくとも一部を前記副試験室に配置して試験を行うことが可能であって、
前記副試験室はクッション材を介して前記扉に取付けられており、当該クッション材の圧縮量に変化を付けることにより、前記副試験室を前記扉に対して相対的に移動または姿勢変更することが可能であることを特徴とする環境試験装置。
【請求項１９】
被試験物に外力を与える外力付与装置と組み合わされて使用される環境試験装置であって、断熱壁で囲まれた断熱領域を有していて所定の環境を形成することができるものであり、
前記断熱領域内と前記環境試験装置外とを連通する貫通孔を有し、
前記貫通孔を介して前記外力付与装置と組み合わせ、前記外力付与装置と連携させて他の部材の少なくとも一部を断熱領域内に配置することができ、
主試験室と、当該主試験室を開閉可能な扉と、当該扉にネジで取付けられた副試験室を有し、
前記副試験室は、前記主試験室と連通するものであって、
前記貫通孔は前記副試験室に設けられ、前記被試験物の少なくとも一部を前記副試験室に配置して試験を行うことが可能であり、
前記副試験室は前記ネジと当該ネジを挿通する挿通孔との間にできる隙間の位置を変えることにより、前記副試験室を前記扉に対して相対的に移動または姿勢変更することが可能であることを特徴とする環境試験装置。
【請求項２０】
前記副試験室は、前記主試験室に比べて容積が小さいものであることを特徴とする請求項１、２、３、４、５、６、１４、１５、１６、１７、１８、１９のいずれかに記載の環境試験装置。
【請求項２１】
内部に主試験室を有し、前記主試験室に所望の環境を形成することが可能であって被試験物を配置して環境試験を行うことができる環境試験装置の扉に取り付けられ、その内部に前記主試験室と連通する副試験室を形成する副試験室ユニットであり、
一面が開口し、前記一面と対向する他の一面に他の扉が設けられ、他の面が断熱壁でおおわれた箱体であることを特徴とする副試験室ユニット。
【発明の詳細な説明】
【技術分野】
【０００１】
本発明は、試験室内に所望の環境を形成する環境試験装置に関するものである。特に本発明は、他の機器と組み合わせて使用される環境試験装置として好適なものである。
また本発明は、環境試験装置に取り付けられて補助的な試験室を形成させる副試験室ユニットに関するものである。
【背景技術】
【０００２】
電気機器等の製品や部品を被試験物とし、これらの性能や耐久性を調べる装置として、環境試験装置が知られている。環境試験装置は、試験室を有しており、例えば、温度環境（例えば、高温や低温）や湿度環境（例えば、高湿度や低湿度）等の所定の環境を試験室内に人工的に作り出すことができるものである。
【０００３】
環境試験の対象となる被試験物は多岐に渡る。また環境試験の内容についても多岐に渡り、例えば所定の環境下で金属素材やゴム等の基本特性を試験する要求がある。例えば引っ張り試験、圧縮試験、剪断試験、硬さ試験機、衝撃試験、クリープ試験といった基本特性を調べる試験を特殊な環境下で行いたいという要求がある。
また特定の環境下で被試験物に特殊な光線を照射したり、電波や磁力を付加する様な場合もある。
【０００４】
従来においては、上記した要求に応えるためには、特殊仕様の環境試験装置を設計し、使用していた。例えば、引っ張り試験を特定の環境下で行う装置が特許文献１に開示されている。
【先行技術文献】
【特許文献】
【０００５】
【特許文献１】特開２０００−３１４６９２号公報
【発明の概要】
【発明が解決しようとする課題】
【０００６】
特定の環境下で被試験物の性能を調べる試験等を実施したい場合、その試験が大量の被試験物を対象として、長期間に渡って継続的に実施する性格のものであるならば、それ専用の環境試験装置を設計し製作することとなる。
しかしながら、一般に環境試験装置は高価であり、特殊用途に使用するものはさらに高価であり、且つ納期もかかる。
また単発的に前記した様な特定の環境下で被試験物の性能を調べる試験等を行う必要が生じることも珍しくない。この様な場合には、手持ちの環境試験装置に、他の市販の試験装置や、手作りの試験装置を組み合わせて所望の実験を行うことがある。
【０００７】
ここで中に人が入ることができる様な大型の環境試験装置であれば、試験室内に小型の引っ張り試験装置や圧縮試験を持ち込んで試験を行うことができる。
これに対して小型や中型の環境試験装置の場合は、引っ張り試験装置や圧縮試験装置を外付けして所望の試験を行おうと考えるのが普通である。
しかしながら、従来技術の環境試験装置は、試験室が断熱壁で覆われているだけでなく、試験室の周囲に冷凍機やヒータ等の空調機器、制御盤等が配置されており、他の機器と組み合わせにくい構造である。
即ち通常の環境試験装置は、試験室の周囲に複数の機器があり、試験室に物を出し入れし得るのは正面の扉だけである。
また通常の環境試験装置は、試験室を含めて直方体や立方体の形状であり、試験室の周囲に他の機器を配置するにもその場所が無い。
【０００８】
そこで本発明は、通常の環境試験を実施することができ、且つ他の機器と組み合わせ、両者を連携させて試験を行うこともできる環境試験装置を提供することを目的とするものである。
また環境試験装置と組み合わされて副試験室を形成する副試験室ユニットに関するものである。
【課題を解決するための手段】
【０００９】
上記した課題を解決するための発明は、本体部と、本体部から水平方向に突出した突出部を有し、前記本体部の内部には所定の環境を形成することが可能であって一定の容積を有する主試験室があり、前記突出部内に主試験室と連通し主試験室に比べて容積が小さい副試験室があることを特徴の一つとする環境試験装置である。
【００１０】
本発明の環境試験装置は、主試験室を有し、主試験室を使用して通常の環境試験を行うこともできる。
本発明の環境試験装置は、主試験室の他に副試験室を有している。副試験室は主試験室と連通しているから、主試験室と同様に所定の環境を形成することができる。
また本発明の環境試験装置では、副試験室は主試験室に比べて容積が小さく、且つ本体部から水平方向に突出した突出部に副試験室がある。
そのため、副試験室の上部、下部、側部の少なくともいずれかには空間があり、試験室の周囲に他の機器を配置する空間が確保される。
【００１１】
主試験室を開閉可能な大扉と、副試験室を開閉可能な小扉を有することが望ましい。
【００１２】
本発明の環境試験装置は、主試験室を開閉可能な大扉を有しており、大扉を開閉して主試験室に被試験物を出し入れすることができる。副試験室を使用する場合には、小扉を開閉して副試験室から被試験物を出し入れする。
【００１３】
大扉の一面に断熱箱が設けられ、当該断熱箱の内部で前記副試験室が構成されていることが望ましい。
【００１４】
本発明の環境試験装置では、大扉が副試験室の一部を構成し、構造が簡単である。
【００１５】
副試験室を貫通する貫通孔を有することが望ましい。
【００１６】
貫通孔は、副試験室の扉とは別に設けられる。貫通孔は、引っ張り試験装置のロッドの様な、他の機器と連携させるための孔である。貫通孔は、副試験室の天井面、底面、左右の側面の少なくともいずれかに設けられることが望ましい。
例えば引っ張り試験装置と本発明の環境試験装置を連携させる場合には、副試験室に設けられた貫通孔に引っ張り試験装置のロッド等を挿通させる。
【００１７】
空調部を有し、空調部は主試験室に空気の出入り口があり、主試験室と副試験室の間を一時的に遮蔽する遮蔽部材を有することが望ましい。
【００１８】
本発明では、主試験室に空調部の空気の出入り口がある。引っ張り試験等が行われる副試験室は、主試験室と連通しているので、副試験室は主試験室と共に温度や湿度が調節される。
本発明の試験装置では、遮蔽部材によって主試験室と副試験室の間を一時的に遮蔽することができる。本発明では、副試験室から被試験物を出し入れする場合に、遮蔽部材によって主試験室と副試験室の間を一時的に遮蔽することができる。そのため副試験室から被試験物を出し入れする際に、空調部側に外気が回り込みにくく、蒸発器に結露や霜付きが発生しにくい。
副試験室から被試験物を出し入れすると、副試験室内の環境は外気の侵入によって乱れるが、主試験室側の環境は維持される。ここで主試験室は副試験室よりも容積が大きいから、副試験室の扉等を閉じて副試験室を密閉状態に復帰させた後、遮蔽部材を外し、副試験室を主試験室と連通させると、副試験室内の環境は短時間で目標の環境に復帰する。
【００１９】
副試験室を環境試験装置の他の部材に対して相対的に移動または姿勢変更することが可能であることが望ましい。
【００２０】
本発明によると、副試験室と連携させる装置等との芯合わせが容易となる。
【００２１】
本体部に空調部が配されていることが望ましい。
【００２２】
副試験室が中空に張り出していることが望ましい。
【００２３】
本発明の環境試験装置では、試験室が突出した位置にあるから、試験室の下部に空間があり、他の機器を配置する空間が試験室の下部に確保される。
【００２４】
副試験室ユニットの発明は、内部に試験室を有する環境試験装置の扉に取り付けられ、その内部に副試験室を形成する副試験室ユニットであり、一面が開口し、他の一面に小扉が設けられ、他の面が断熱壁でおおわれた箱体であることを特徴の一つとする。
【００２５】
本発明の副試験ユニットを市販の環境試験装置に取り付けることにより、環境試験装置の用途を広げることができる。
【００２６】
請求項１に記載の発明は、空調部と、本体部と、当該本体部から水平方向に突出した突出部を有し、前記本体部の内部には一定の容積を有する主試験室があり、前記空調部は前記主試験室に空気の出入り口があって前記主試験室に所望の環境を形成することが可能であり、前記突出部内に前記主試験室と連通する副試験室があり、前記本体部は、前記主試験室を開閉可能であり、被試験物を前記主試験室に出し入れ可能な扉を有し、前記突出部は前記副試験室を開閉可能な扉を有し、前記副試験室は前記主試験室の扉に取付けられた断熱箱により構成されており、被試験物を前記副試験室に配置して試験を行うこと、及び、被試験物を前記主試験室に配置して試験を行うことが可能であることを特徴とする環境試験装置である。
【００２７】
請求項２に記載の発明は、前記副試験室を貫通する貫通孔を有することを特徴とする請求項１に記載の環境試験装置である。
【００２８】
請求項３に記載の発明は、前記主試験室と前記副試験室の間を一時的に遮蔽する遮蔽部材を有することを特徴とする請求項１又は２に記載の環境試験装置である。
【００２９】
請求項４に記載の発明は、前記副試験室を環境試験装置の他の部材に対して相対的に移動または姿勢変更することが可能であることを特徴とする請求項１乃至３のいずれかに記載の環境試験装置である。
【００３０】
請求項５に記載の発明は、前記本体部に前記空調部が配されていることを特徴とする請求項１乃至４のいずれかに記載の環境試験装置である。
【００３１】
請求項６に記載の発明は、前記副試験室が中空に張り出していることを特徴とする請求項１乃至５のいずれかに記載の環境試験装置である。
【００３２】
請求項７に記載の発明は、環境試験装置と、被試験物に外力を与える外力付与装置を有し、前記環境試験装置は、断熱壁で囲まれた断熱領域を有していて所定の環境を形成することができるものであり、前記外力付与装置は、他部材を着脱可能に保持する保持部材と、当該保持部材を動作させる駆動部を有し、前記被試験物又は前記被試験物に接続された繋ぎ部材を前記保持部材で保持し、前記被試験物の少なくとも一部を前記断熱領域内に配置した状態で前記駆動部を動作させ、前記被試験物に外力を与える複合試験装置において、前記環境試験装置は前記断熱領域内と前記環境試験装置外とを連通する貫通孔を有し、前記被試験物の一部または前記繋ぎ部材が前記貫通孔に挿通されて前記被試験物と前記保持部材が繋がり、或いは前記貫通孔を経由して前記保持部材が前記断熱領域内に配されるものであり、前記環境試験装置は、主試験室と、当該主試験室と連通する副試験室を有し、前記貫通孔は前記副試験室に設けられ、前記被試験物の少なくとも一部を前記副試験室に配置して試験を行うことが可能であって、前記主試験室に空気の出入り口がある空調部と、前記主試験室と前記副試験室の間を一時的に遮蔽する遮蔽部材と、前記環境試験装置の壁に設けられたスリットを有し、前記遮蔽部材は前記スリットから差し入れされるものであることを特徴とする複合試験装置である。
【００３３】
請求項８に記載の発明は、環境試験装置と、被試験物に外力を与える外力付与装置を有し、前記環境試験装置は、断熱壁で囲まれた断熱領域を有していて所定の環境を形成することができるものであり、前記外力付与装置は、他部材を着脱可能に保持する保持部材と、当該保持部材を動作させる駆動部を有し、前記被試験物又は前記被試験物に接続された繋ぎ部材を前記保持部材で保持し、前記被試験物の少なくとも一部を前記断熱領域内に配置した状態で前記駆動部を動作させ、前記被試験物に外力を与える複合試験装置において、前記環境試験装置は前記断熱領域内と前記環境試験装置外とを連通する貫通孔を有し、前記被試験物の一部または前記繋ぎ部材が前記貫通孔に挿通されて前記被試験物と前記保持部材が繋がり、或いは前記貫通孔を経由して前記保持部材が前記断熱領域内に配されるものであり、前記環境試験装置は、主試験室と、副試験室と、当該副試験室を開閉可能な扉を有し、前記副試験室は、前記主試験室と連通するものであって、前記貫通孔は前記副試験室に設けられ、前記被試験物の少なくとも一部を前記副試験室に配置して試験を行うことが可能であって、前記主試験室に空気の出入り口がある空調部と、前記主試験室と前記副試験室の間を一時的に遮蔽する遮蔽部材を有し、前記遮蔽部材は前記扉と連動して開閉されるものであることを特徴とする複合試験装置である。
【００３４】
請求項９に記載の発明は、環境試験装置と、被試験物に外力を与える外力付与装置を有し、前記環境試験装置は、断熱壁で囲まれた断熱領域を有していて所定の環境を形成することができるものであり、前記外力付与装置は、他部材を着脱可能に保持する保持部材と、当該保持部材を動作させる駆動部を有し、前記被試験物又は前記被試験物に接続された繋ぎ部材を前記保持部材で保持し、前記被試験物の少なくとも一部を前記断熱領域内に配置した状態で前記駆動部を動作させ、前記被試験物に外力を与える複合試験装置において、前記環境試験装置は前記断熱領域内と前記環境試験装置外とを連通する貫通孔を有し、前記被試験物の一部または前記繋ぎ部材が前記貫通孔に挿通されて前記被試験物と前記保持部材が繋がり、或いは前記貫通孔を経由して前記保持部材が前記断熱領域内に配されるものであり、前記環境試験装置は、主試験室と、当該主試験室を開閉可能な扉と、当該扉に取付けられた副試験室を有し、前記副試験室は、前記主試験室と連通し、前記貫通孔は前記副試験室に設けられ、前記被試験物の少なくとも一部を前記副試験室に配置して試験を行うことが可能であることを特徴とする複合試験装置である。
【００３５】
請求項１０に記載の発明は、環境試験装置と、被試験物に外力を与える外力付与装置を有し、前記環境試験装置は、断熱壁で囲まれた断熱領域を有していて所定の環境を形成することができるものであり、前記外力付与装置は、他部材を着脱可能に保持する保持部材と、当該保持部材を動作させる駆動部を有し、前記被試験物又は前記被試験物に接続された繋ぎ部材を前記保持部材で保持し、前記被試験物の少なくとも一部を前記断熱領域内に配置した状態で前記駆動部を動作させ、前記被試験物に外力を与える複合試験装置において、前記環境試験装置は前記断熱領域内と前記環境試験装置外とを連通する貫通孔を有し、前記被試験物の一部または前記繋ぎ部材が前記貫通孔に挿通されて前記被試験物と前記保持部材が繋がり、或いは前記貫通孔を経由して前記保持部材が前記断熱領域内に配されるものであり、主試験室と、当該主試験室と連通する副試験室があり、前記貫通孔が当該副試験室に設けられ、前記被試験物の少なくとも一部を前記副試験室に配置して外力を付与する試験を行い、被試験物を前記主試験室に配置して環境試験を行うことも可能であることを特徴とする複合試験装置である。
【００３６】
請求項１１に記載の発明は、乾燥気体供給源または負圧発生源のうちの少なくとも１つを有し、前記貫通孔が前記乾燥気体供給源または前記負圧発生源に接続されていることを特徴とする請求項７乃至１０のいずれかに記載の複合試験装置である。
【００３７】
請求項１２に記載の発明は、前記副試験室の断熱壁にブロック体が内蔵され、当該ブロック体に前記貫通孔が設けられており、前記ブロック体は上下面に設けられたリブと、当該リブに囲まれた当該ブロック体の外周面に設けられた凹部と、当該凹部に設けられ前記貫通孔に連通する第２の貫通孔を有することを特徴とする請求項７乃至１１のいずれかに記載の複合試験装置である。
【００３８】
請求項１３に記載の発明は、前記副試験室の断熱壁にブロック体が内蔵され、当該ブロック体に前記貫通孔が設けられており、前記ブロック体は前記断熱壁内で移動可能であることを特徴とする請求項７乃至１２のいずれかに記載の複合試験装置である。
【００３９】
請求項１４に記載の発明は、被試験物に外力を与える外力付与装置と組み合わされて使用される環境試験装置であって、断熱壁で囲まれた断熱領域を有していて所定の環境を形成することができるものであり、前記断熱領域内と前記環境試験装置外とを連通する貫通孔を有し、前記貫通孔を介して前記外力付与装置と組み合わせ、前記外力付与装置と連携させて他の部材の少なくとも一部を前記断熱領域内に配置することができ、主試験室と、当該主試験室と連通する副試験室を有し、前記貫通孔は前記副試験室に設けられ、前記被試験物の少なくとも一部を前記副試験室に配置して試験を行うことが可能であって、前記主試験室に空気の出入り口がある空調部と、前記主試験室と前記副試験室の間を一時的に遮蔽する遮蔽部材と、前記環境試験装置の壁に設けられたスリットを有し、前記遮蔽部材は前記スリットから差し入れされるものであることを特徴とする環境試験装置である。
【００４０】
請求項１５に記載の発明は、被試験物に外力を与える外力付与装置と組み合わされて使用される環境試験装置であって、断熱壁で囲まれた断熱領域を有していて所定の環境を形成することができるものであり、前記断熱領域内と前記環境試験装置外とを連通する貫通孔を有し、前記貫通孔を介して前記外力付与装置と組み合わせ、前記外力付与装置と連携させて他の部材の少なくとも一部を前記断熱領域内に配置することができ、主試験室と、当該主試験室と連通する副試験室を有し、当該副試験室を開閉可能な扉を有し、前記副試験室には前記貫通孔があり、前記主試験室に空気の出入り口がある空調部と、前記主試験室と前記副試験室の間を一時的に遮蔽する遮蔽部材を有し、前記遮蔽部材は前記扉と連動して開閉されるものであることを特徴とする環境試験装置である。
【００４１】
請求項１６に記載の発明は、被試験物に外力を与える外力付与装置と組み合わされて使用される環境試験装置であって、断熱壁で囲まれた断熱領域を有していて所定の環境を形成することができるものであり、前記断熱領域内と前記環境試験装置外とを連通する貫通孔を有し、前記貫通孔を介して前記外力付与装置と組み合わせ、前記外力付与装置と連携させて他の部材の少なくとも一部を前記断熱領域内に配置することができ、主試験室と、当該主試験室を開閉可能な扉と、当該扉に取付けられた副試験室を有し、前記副試験室は、前記主試験室と連通し、前記貫通孔は前記副試験室に設けられ、前記被試験物の少なくとも一部を前記副試験室に配置して試験を行うことが可能であることを特徴とする環境試験装置である。
【００４２】
請求項１７に記載の発明は、被試験物に外力を与える外力付与装置と組み合わされて使用される環境試験装置であって、断熱壁で囲まれた断熱領域を有していて所定の環境を形成することができるものであり、前記断熱領域内と前記環境試験装置外とを連通する貫通孔を有し、前記貫通孔を介して前記外力付与装置と組み合わせ、前記外力付与装置と連携させて他の部材の少なくとも一部を前記断熱領域内に配置することができ、主試験室と、当該主試験室と連通する副試験室があり、前記貫通孔が当該副試験室に設けられ、前記被試験物の少なくとも一部を前記副試験室に配置して外力を付与する試験を行い、被試験物を前記主試験室に配置して環境試験を行うことも可能であることを特徴とする環境試験装置である。
【００４３】
請求項１８に記載の発明は、被試験物に外力を与える外力付与装置と組み合わされて使用される環境試験装置であって、断熱壁で囲まれた断熱領域を有していて所定の環境を形成することができるものであり、前記断熱領域内と前記環境試験装置外とを連通する貫通孔を有し、前記貫通孔を介して前記外力付与装置と組み合わせ、前記外力付与装置と連携させて他の部材の少なくとも一部を前記断熱領域内に配置することができ、前記環境試験装置は、主試験室と、当該主試験室を開閉可能な扉と、当該扉に取付けられた副試験室を有し、前記副試験室は、前記主試験室と連通するものであって、前記貫通孔は前記副試験室に設けられ、前記被試験物の少なくとも一部を前記副試験室に配置して試験を行うことが可能であって、前記副試験室はクッション材を介して前記扉に取付けられており、当該クッション材の圧縮量に変化を付けることにより、前記副試験室を前記扉に対して相対的に移動または姿勢変更することが可能であることを特徴とする環境試験装置である。
【００４４】
請求項１９に記載の発明は、被試験物に外力を与える外力付与装置と組み合わされて使用される環境試験装置であって、断熱壁で囲まれた断熱領域を有していて所定の環境を形成することができるものであり、前記断熱領域内と前記環境試験装置外とを連通する貫通孔を有し、前記貫通孔を介して前記外力付与装置と組み合わせ、前記外力付与装置と連携させて他の部材の少なくとも一部を断熱領域内に配置することができ、主試験室と、当該主試験室を開閉可能な扉と、当該扉にネジで取付けられた副試験室を有し、前記副試験室は、前記主試験室と連通するものであって、前記貫通孔は前記副試験室に設けられ、前記被試験物の少なくとも一部を前記副試験室に配置して試験を行うことが可能であり、前記副試験室は前記ネジと当該ネジを挿通する挿通孔との間にできる隙間の位置を変えることにより、前記副試験室を前記扉に対して相対的に移動または姿勢変更することが可能であることを特徴とする環境試験装置である。
【００４５】
請求項２０に記載の発明は、前記副試験室は、前記主試験室に比べて容積が小さいものであることを特徴とする請求項１、２、３、４、５、６、１４、１５、１６、１７、１８、１９のいずれかに記載の環境試験装置である。
【００４６】
請求項２１に記載の発明は、内部に主試験室を有し、前記主試験室に所望の環境を形成することが可能であって被試験物を配置して環境試験を行うことができる環境試験装置の扉に取り付けられ、その内部に前記主試験室と連通する副試験室を形成する副試験室ユニットであり、一面が開口し、前記一面と対向する他の一面に他の扉が設けられ、他の面が断熱壁でおおわれた箱体であることを特徴とする副試験室ユニットである。
【発明の効果】
【００４７】
本発明の環境試験装置は、通常の環境試験を実施することができ、且つ他の機器と組み合わせて試験を行うこともできるので汎用性が高いという効果がある。
また本発明の副試験ユニットを市販の環境試験装置に取り付けることにより、環境試験装置の用途を広げることができる。
【図面の簡単な説明】
【００４８】
【図１】本発明の実施形態の試験装置の斜視図である。
【図２】図１の試験装置の環境試験装置の斜視図である。
【図３】図２の環境試験装置の小扉を開いた状態の斜視図である。
【図４】図２の環境試験装置の大扉を開いた状態の斜視図である。
【図５】図２の環境試験装置の本体部分の大扉部分と断熱箱との分解斜視図である。
【図６】（ａ）（ｂ）（ｃ）は、図２の環境試験装置の本体部分の大扉部分と断熱箱との位置関係を説明する説明図であり、環境試験装置を正面側から観察した図である。
【図７】（ａ）（ｂ）（ｃ）は、図２の環境試験装置の本体部分の大扉部分と断熱箱との位置関係を説明する説明図であり、環境試験装置を側面側から観察した図である。
【図８】（ａ）（ｂ）（ｃ）は、図２の環境試験装置の本体部分の大扉部分と断熱箱との位置関係を説明する説明図であり、環境試験装置を平面側から観察した図である。
【図９】図１の試験装置の環境試験装置の断面を概念的に説明した説明図であり、小扉を閉じた状態を示す。
【図１０】図１の試験装置の環境試験装置の断面を概念的に説明した説明図であり、小扉を開いた状態を示す。
【図１１】図９のＡ−Ａ断面の端面図である。
【図１２】（ａ）は、図９のブロック体近傍の拡大断面図であり、（ｂ）はそのＡ−Ａ断面図である。
【図１３】図９のブロック体近傍をさらに拡大し空気の流れを示した拡大断面図である。
【図１４】副試験室の構成部材と掴み具及び被試験物の関係を説明する斜視図である。
【図１５】被試験物と繋ぎ部材との関係を説明する分解斜視図である。
【図１６】（ａ）は、ブロック体及び繋ぎ部材の斜視図であり、（ｂ）はそのＡ−Ａ断面図であり、（ｃ）は（ｂ）のＢ−Ｂ断面図である。
【図１７】断熱箱の本体側筐体部と小扉の天井壁部分の分解斜視図である。
【図１８】（ａ）（ｂ）は、繋ぎ部材とブロック体の貫通孔との関係を説明する説明図である。
【図１９】本発明の他の実施形態であって、ブロック体近傍を拡大し空気の流れを示した拡大断面図である。
【図２０】本発明のさらに他の実施形態の試験装置で採用するブロック体の斜視図及びその分解斜視図である。
【図２１】図２０に示すブロック体と空洞部及び掴み具との関係を説明する説明図であり、（ａ）は繋ぎ部材をブロック体の貫通孔に挿入する前を示す断面図であり、（ｂ）は繋ぎ部材をブロック体の貫通孔に挿入した後を示す断面図である。
【図２２】本発明のさらに他の実施形態の試験装置の環境試験装置の平面図であり、（ａ）は小扉を閉じた状態を示し、（ｂ）は小扉を開いた状態を示す。
【図２３】本発明のさらに他の実施形態の試験装置の斜視図である。
【図２４】本発明のさらに他の実施形態の試験装置の斜視図である。
【図２５】本発明のさらに他の実施形態の試験装置の環境試験装置の小扉を開いた状態の斜視図である。
【図２６】（ａ）は図２５の試験装置で採用するブロック体及び繋ぎ部材の斜視図であり、（ｂ）はそのＡ−Ａ断面図であり、（ｃ）は（ｂ）のＢ−Ｂ断面図である。
【発明を実施するための最良の形態】
【００４９】
以下さらに本発明の実施形態について説明する。
本実施形態の試験装置１０は、複合試験装置であり、より詳細には複合型の引っ張り試験装置である。
試験装置１０は、環境試験装置１と、外力付与装置２００によって構成されている。また試験装置１０は、補助器材として外力付与装置載置台３００と、恒温槽用架台３０１及び光学式伸び検知装置２２０を有している。
【００５０】
環境試験装置１は、小型の環境試験装置の前扉に断熱箱（副試験室ユニット）１３を取り付けたものであると言える。
即ち環境試験装置１は、本体部１１と、本体部１１の前扉（以下  大扉１２）に取り付けられた断熱箱１３によって構成され、断熱箱１３の内部が図９、図１０の様に副試験室１５として機能する。なお断熱箱１３はユニット化されており、既設、あるいは市販の環境試験装置１に取り付けることができる。
即ち環境試験装置１の本体部１１内には断熱壁２８で覆われた主試験室１６があり、断熱箱１３内には断熱壁３２で覆われた副試験室１５がある。両者は連通しており、一体として断熱領域７を形成している。
断熱箱１３は本体部１１に比べて大きさが小さく、断熱箱１３は本体部１１から水平方向に突出した突出部となっている。
【００５１】
環境試験装置１の本体部１１は、小型の環境試験装置であり、内部に主試験室１６を有し、当該主試験室１６内に所望の環境を作ることができる。
環境試験装置１の本体部１１の基本構成は、公知の環境試験装置と大差ない。
環境試験装置１の本体部１１は、図９、図１０に示すように断熱壁２８によって覆われた断熱槽１７を有している。そして当該断熱槽１７の一部に試験室（主試験室）１６が形成されている。環境試験装置１の本体部１１は単独で環境試験装置として使用することもでき、その際には主試験室１６は、被試験物（図示せず）を設置する空間となる。
【００５２】
本体部１１は、公知の環境試験装置と同様に、さらに空調部４８を有している。本実施形態では、空調部４８は空調機器１８と送風機２０を備えている。空調機器１８は、加湿装置２１、冷却装置２２及び加熱ヒータ（加熱装置）２３によって構成されている。
本体部１１には、主試験室１６と環状に連通する空調通風路２５があり、当該空調通風路２５に前記した空調機器１８と送風機２０が内蔵されている。
【００５３】
空調通風路２５は、断熱槽１７の一部に形成され、空気吹き出し部２６と空気導入部２７で主試験室１６と連通している。なお本実施形態では、空気吹き出し部２６は一か所であるが、空気導入部２７は２箇所に設けられている。空気吹き出し部２６は断熱槽１７の高さ方向中央部にあり、空気導入部２７は空気吹き出し部２６を挟んで上下にある。
即ち本実施形態では、空調部４８は空気吹き出し部２６と空気導入部２７で主試験室１６側と連通しており、空調部４８は主試験室１６側に空気の出入り口がある。
【００５４】
そのため送風機２０を起動すると、主試験室１６内の空気が上下の空気導入部２７から空調通風路２５内に導入される。そして空調通風路２５が通風状態となり、空調機器１８に空気が接触して熱交換や湿度調整がなされ、中央の空気吹き出し部２６から主試験室１６内に調整後の空気が吹き出される。
また空調通風路２５の空気吹き出し部２６の近傍に、図示しない温度センサーと湿度センサーが設けられている。
環境試験装置１を使用する際には、送風機２０を運転して空調通風路２５内を通風状態とし、温度センサー及び湿度センサーの検出値が、設定環境の温度及び湿度に近づく様に空調機器１８を制御する。
【００５５】
本体部１１の主試験室１６には大扉１２が設けられている。ただし本実施形態では、大扉１２には大きな開口３０が設けられている。
大扉１２は図示しないヒンジを介して主試験室１６側に取り付けられており、揺動可能である。
本実施形態で採用する本体部１１では、空調通風路２５の空気吹き出し部２６と大扉１２の開口３０の間にダクト５５が設けられている。ダクト５５は、容易に取り外すことができることが望ましい。
【００５６】
本実施形態では大扉１２の外側に断熱箱１３が固定されている。
断熱箱１３は、本体部１１と一体となるものであり、両者の間は気密性が確保されている。
その一方、本実施形態で採用する断熱箱１３は、本体部１１に対してわずかに相対移動可能であり、姿勢変更が可能である。
本実施形態では、図５の様に、本体部１１の断熱箱取り付け部分に、補強材７１と、クッション材７２が設けられている。
補強材７１とクッション材７２はいずれも枠状である。
クッション材７２は、数ミリから数センチメートルの厚さがあり、相当の圧縮しろがある。
補強材７１には図示しないネジ孔があり、クッション材７２には当該ネジ孔に連通する孔５８が複数個（図では４個）設けられている。
【００５７】
一方、断熱箱１３の後端部には、図５の様にブラケット６６が設けられている。そしてブラケット６６に設けられた貫通孔６７にネジ６８を挿通し、当該ネジ６８をクッション材７２に設けられたネジ孔５８と嵌合させて断熱箱１３が本体部１１に取り付けられている。
【００５８】
そのためネジ６８の締めつけ量を調整する等の作業により、断熱箱１３の姿勢を図６，７，８の様に、本体部１１に対してわずかに変化させることができる。即ちネジ６８の締めつけ量を調整してクッション材７２の圧縮量に部分的に変化を付けることにより、図７（ｂ）の様に断熱箱１３を前傾姿勢としたり、図７（ｃ）の様に断熱箱１３をやや上向き姿勢とすることができる。
また図８（ｂ）（ｃ）の様に断熱箱１３を左右に首振りさせることができる。さらにブラケット６６に設けられた貫通孔６７と、ネジ６８との間にわずかに隙間があるから、図６（ｂ）（ｃ）の様に、断熱箱１３を旋回方向にわずかに姿勢変更することもできる。
【００５９】
次に断熱箱１３の構造について説明する。断熱箱１３は断熱壁３２で覆われた筐体であり、本体側筐体部３３と、小扉３１を有している。
本体側筐体部３３は、天面壁３５ａ、底面壁３６ａ、左右側面壁３７ａ，３８ａを有しており、前面側及び背面側が開口している。
本体側筐体部３３の一方の側面壁３７ａにはスリット５０がある。スリット５０は断熱箱１３の内外を連通している。スリット５０は、上下方向にのびるものであり、図２の様に板（遮蔽部材）５１を挿入することができる。スリット５０には図示しないシールが設けられており、スリット５０は気密性を保っている。
【００６０】
小扉３１は、図９の様に断面形状が凹形であり、天面壁３５ｂ、底面壁３６ｂ、左右側面壁３７ｂ，３８ｂ及び正面壁４０を有している。ただし正面壁４０には大きな開口があり、当該開口には透明なガラス４２がはめ込まれている。
小扉３１の、一方の側面壁３７ｂにも図１の様に小窓４１がある。小窓４１にも透明なガラスがはめ込まれている。
【００６１】
小扉３１は、本体側筐体部３３の前面側開口部分に図示しないヒンジを介して揺動可能に取り付けられている。
小扉３１を閉じることによって本体側筐体部３３の前面が閉塞される。小扉３１が閉じられた状態においては、小扉３１の天面壁３５ｂの端面は、本体側筐体部３３の天面壁３５ａの端面と当接し、両者で副試験室１５の天面壁３５が形成される。同様に、小扉３１の底面壁３６ｂと本体側筐体部３３の底面壁３６ａが合致して副試験室１５の底面壁３６が構成され、小扉３１の左右側面壁３７ｂ，３８ｂが本体側筐体部３３の左右側面壁３７ａ，３８ａに合致して副試験室１５の左右側面壁３７，３８が構成される。
断熱箱１３の本体側筐体部３３は、前記した様に背面側が開口しており、断熱箱１３内に形成される副試験室１５は、本体部１１の主試験室１６と連通している。
【００６２】
断熱箱１３には、外部と連通する貫通孔１０５が上下２か所に設けられている。貫通孔１０５は断熱壁２８，３２で囲まれた断熱領域７内と環境試験装置１外とを連通するものである。
即ち本実施形態の環境試験装置１では、断熱箱１３の天面壁３５部分と底面壁３６部分に貫通孔１０５が設けられている。
本実施形態では、天面壁３５と底面壁３６に、直方体の空洞部４５，４６が設けられ、当該空洞部４５，４６にブロック体１００（図３参照）が内蔵されており、ブロック体１００に貫通孔１０５が設けられている。後記する様に空洞部４５，４６の内壁はブロック体１００と接し、気密性が確保されている。そのためブロック体１００に設けられた貫通孔１０５が、実質的に断熱箱１３を貫通する開口であり、断熱領域７内と環境試験装置１外とを連通するものである。
【００６３】
天面壁３５の空洞部４５及びブロック体１００の構造と、底面壁３６の空洞部４６及びブロック体１００の構造は同一であるから、代表して天面壁３５側の構造を説明する。
本体側筐体部３３の天面壁３５ａの端部には図３、図１７の様に切り欠き部５２がある。同様に小扉３１の天面壁３５ｂの端部にも切り欠き部５３が設けられている。
切り欠き部５２，５３は、いずれも断熱壁３２を欠落させたものであり、その形状は長方形である。切り欠き部５２，５３の断熱箱１３の内外面（上下面）には、覆い板５６が設けられている。
【００６４】
より詳細に説明すると、本体側筐体部３３の天面壁３５ａの端部の切り欠き部５２には、図１７の様に上面側を覆う覆い板５６ａと、下面側を覆う覆い板５６ｂが設けられる。また小扉３１の天面壁３５ｂの端部の切り欠き部５３にも、図１７の様に上面側を覆う覆い板５６ｃと、下面側を覆う覆い板５６ｄが設けられる。
つまり、切り欠き部５２，５３には、上下に覆い板５６が設けられる。
【００６５】
本体側筐体部３３の切り欠き部５２に注目すると、切り欠き部５２は、天面壁３５ａの端部側から奥側に向かう洞穴状となっている。洞穴状部分の形状は前記した様に長方形である。
小扉３１側の切り欠き部５３についても同様であり、切り欠き部５３は、天面壁３５ｂの端部側（本体側筺体部３３側）から奥側（前面側）に向かう洞穴状である。
図９に示すように本体側筐体部３３の断熱壁３２内には配管４７が埋設されており、本体側筐体部３３の切り欠き部５２と外部が当該配管４７で繋がっている。また配管４７は外部に設置された負圧発生装置１１２及び窒素ボンベ１１３に接続されている。負圧発生装置１１２は、送風機であり、送風機の吸い込み側が配管４７に接続されている。
負圧発生装置１１２及び窒素ボンベ１１３と、切り欠き部５２との間には切り替え弁（電磁三方弁）１１５が設けられており、負圧発生装置１１２と窒素ボンベ１１３とを切り換えることができる。
【００６６】
窒素ボンベ１１３は、乾燥気体供給源の一例である。乾燥気体としては、窒素ガス以外に圧縮空気を乾燥処理した低露点のドライエアーを採用することも可能である。即ち窒素ボンベ１１３に代わって、コンプレッサと乾燥装置を使用することもできる。
本実施形態では、乾燥気体供給源（窒素ボンベ１１３）と負圧発生装置１１２を配管４７に接続し、両者を切り換えることができる構成を採用しているが、いずれか一方だけであってもよい。また乾燥気体供給源（窒素ボンベ１１３等）及び負圧発生装置１１２は必須ではない。
【００６７】
本体側筐体部３３側の上下の覆い板５６ａ，５６ｂの端辺には、半円状の切り欠き５７が設けられている。小扉３１側の上下の覆い板５６ｃ，５６ｄの端辺にも、同様に半円状の切り欠き５７が設けられている。
本体側筐体部３３の天面壁３５ａの切り欠き部５２と、小扉３１の天面壁３５ｂの切り欠き部５３は、小扉３１を閉じた際に合致し、両者を合わせて直方体の空洞部４５を形成する。また覆い板５６ａの端辺の半円状の切り欠き５７と、覆い板５６ｃの端辺の半円状の切り欠き５７同士も合致して円形を呈する。
【００６８】
以上、天面壁３５の空洞部４５について説明したが、底面壁３６の空洞部４６についても同様である。
【００６９】
次にブロック体１００について説明する。ブロック体１００は、シリコン樹脂等の比較的軟質の樹脂を素材とする発泡体である。ブロック体１００には断熱効果がある。
ブロック体１００は、分割形状であり、二つのブロック片１１１によって構成されている。
二つのブロック片１１１を合わせたブロック体１００の形状は、図１６の様に概ね直方体形状である。
詳細に説明すると、ブロック体１００は直方体を基本とし、対向する一対の面（本実施形態では上下面１０１ａ，１０１ｂ）の各辺部にリブ１０２が設けられた形状である。
【００７０】
ブロック体１００の対向する一対の面（本実施形態では上下面１０１ａ，１０１ｂ）は、前記したリブ１０２を含めて一つの平面である。リブ１０２の断面形状は、図１６の様に直角三角形であり、頂角ａが鋭角である。
ブロック体１００の上下面１０１ａ，１０１ｂは略正方形であり、前記したリブ１０２は、正方形の上下面１０１ａ，１０１ｂの４辺に設けられている。
従って、ブロック体１００の側面には、上下面１０１ａ，１０１ｂのリブ１０２によって囲まれた凹部１０３がある。
【００７１】
ブロック体１００には、上下面１０１ａ，１０１ｂを貫通する貫通孔１０５が設けられている。本実施形態では、貫通孔１０５は、ブロック体１００の中心を上下に貫通するものである。
なおブロック体１００は前記した様に二つのブロック片１１１によって構成されているから、各ブロック片１１１には合わせ面に凹部があり、凹部が合致して四方が囲まれ、貫通孔１０５となる。
【００７２】
貫通孔１０５の平面断面形状は、後記する繋ぎ部材２１１の断面形状に対して相似形である。本実施形態では、繋ぎ部材２１１は板状であり、断面形状は長方形であるから、貫通孔１０５の平面断面形状はこれに合わせて長方形である（図１６ｃ）。貫通孔１０５の形状は挿通されるものに合致させて成形されるべきものであり、挿通されるものの断面形状が円形であれば、貫通孔１０５の断面形状も円形にするべきである。
上下に貫通する貫通孔１０５は、図１６（ｂ）の様に開口部分が他の部位に比べてやや狭くなっている。
【００７３】
また本実施形態では、ブロック体１００の側面にも貫通孔１０６が設けられている。本実施形態では、側面を貫通する貫通孔１０６は、上下に並べて２個設けられている。貫通孔１０６の断面形状は円形である。
側面を貫通する貫通孔１０６は、前記した上下に貫通する貫通孔１０５と直交するものである。即ち側面を貫通する貫通孔１０６は、ブロック体１００の内部で上下に貫通する貫通孔１０５と連通している。
そのため上下に貫通する貫通孔１０５は、側面を貫通する貫通孔１０６を介してブロック体１００の側面の凹部１０３と連通する。なお側面を貫通する貫通孔１０６は、貫通孔１０５と直交していなくてもよい。
【００７４】
またブロック体１００は前記したように二分割の構造であり、二つのブロック片１１１によって構成されている。
そして図３に示すように小扉３１と本体側筐体部３３にそれぞれブロック片１１１が一つずつ収納されている。
【００７５】
ブロック体１００は、前記した様に天面壁３５の空洞部４５と、底面壁３６の空洞部４６にそれぞれ一対ずつ設けられている。より詳細には、本体側筐体部３３の上下の切り欠き部５２にそれぞれ一つずつブロック片１１１が収納され、小扉３１側の上下の切り欠き部５３にもそれぞれブロック片１１１が一つずつ収納されている。
【００７６】
天面壁３５の空洞部４５に注目すると図１３に示すように、ブロック体１００の上下面１０１ａ，１０１ｂは、空洞部４５の上下面と接している。より具体的には、ブロック体１００の上面１０１ａは、本体側筐体部３３側の上部の覆い板５６ａと小扉３１側の上部の覆い板５６ｃの双方と接している。ブロック体１００の下面１０１ｂは、本体側筐体部３３側の下部の覆い板５６ｂと小扉３１側の下部の覆い板５６ｄの双方と接している。
【００７７】
また図１３に示すようにブロック体１００のリブ１０２は、空洞部４５の内側の側壁１１０と接している。そのため空洞部４５の内側の側壁１１０と、ブロック体１００の側面の凹部１０３との間には空隙１０８が形成される。空隙１０８はブロック体１００の側面の周囲を環状にとりまく。
前記した様にリブ１０２の断面形状は、三角形であるから、リブ１０２の先端が空洞部４５の内側の側壁１１０に押しつけられ、ブロック体１００の側面の凹部１０３（空隙１０８）は、空洞部４５の側壁１１０で封鎖されて遮蔽された空間となっている。
【００７８】
空洞部４５の上端側と下端側は、リブ１０２によって環状に封鎖されるので、空洞部４５の内周面部分においては、断熱箱１３の内外の気密性が確保される。即ち、空洞部４５内にブロック体１００があり、ブロック体１００の上端側と下端側を取り巻くリブ１０２が空洞部４５の側壁１１０と接しているから、ブロック体１００の部分については、断熱箱１３の内外の気密性が確保される。
従って、理論的には、断熱箱１３の内外を連通するのは、ブロック体１００を上下に貫通する貫通孔１０５だけである。
【００７９】
底面壁３６についても同様であり、空洞部４６の上端側と下端側は、リブ１０２によって環状に封鎖されるので、空洞部４６の内周面部分においては断熱箱１３の内外の気密性が確保され、断熱箱１３の内外を連通するのは、ブロック体１００を上下に貫通する貫通孔１０５だけである。
【００８０】
ブロック体１００は、前記した様に断熱箱１３の空洞部４５，４６内に内蔵されているが、本体側筐体部３３とブロック体１００の一方のブロック片１１１の間、及び小扉３１と他方のブロック片１１１の間には図示しない係合手段又は接着手段があり、小扉３１を開いた際には、図３の様にブロック体１００の一方のブロック片１１１は本体側筐体部３３側に残り、他方のブロック片１１１は小扉３１側に残る。
ブロック体１００の向きは、図３の様に小扉３１を開いた際にブロック体１００の合わせ面が全面的に露出する方向である。
なお後記する様に、ブロック片１１１同士の間に被試験物２１０又は繋ぎ部材２１１を挟んだ状態にした後で、ブロック体１００を空洞部４５，４６に装着してもよい。即ちブロック体１００が断熱箱１３の空洞部４５，４６に残らない構造であってもよい。
またブロック体１００の中心軸と、断熱箱１３の空洞部４５，４６の中心軸とは略一致しブロック体１００の上下に貫通する貫通孔１０５は、覆い板５６ａ，５６ｂ，５６ｃ，５６ｄの円形の開口内に開口している。
【００８１】
本実施形態では、断熱壁３２を挿通して被試験物に外力を付加する部材を挿通させる貫通孔１０５をブロック体１００に設けている。貫通孔１０５の大きさは、単に繋ぎ部材２１１が通過し得るだけの大きさであり、従来に比べて非常に小さい。貫通孔１０５は小さく、後述する掴み具（保持部材）２０６，２０８は到底通過することができない。
【００８２】
次に外力付与装置２００について説明する。
外力付与装置２００は、引っ張り試験機である。外力付与装置２００は、図１に示すように基台部２０１と、門型フレーム２０２を有している。
門型フレーム２０２には、図示しないガイドレールがあり、門型フレーム２０２のガイドレールに昇降桟（駆動部）２０３が係合している。
そして昇降桟２０３の下部に上ロッド２０５が設けられており、当該上ロッド２０５の先端に上側掴み具（保持部材）２０６が設けられている。即ち駆動部たる昇降桟２０３に、上ロッド２０５を介して保持部材たる上側掴み具２０６が取り付けられている。
【００８３】
また基台部２０１には、下ロッド２０７が設けられており、当該下ロッド２０７の先端に下側掴み具（保持手段）２０８が設けられている。
外力付与装置２００には、公知の引っ張り試験機と同様に、上側掴み具２０６を上方に移動させる移動装置と、掴み具の移動量を検知する伸び量計と、引っ張り荷重を検知する荷重計を有している（いずれも図示せず）。ただし本実施形態では、外力付与装置２００に付属する伸び量計は使用せず、別途用意の光学式伸び検知装置２２０を使用することが望ましい。もちろん外力付与装置２００に付属する伸び量計を使用してもよく、他の方法によって伸びを測定してもよい。
【００８４】
次に、被試験物２１０及び繋ぎ部材２１１について説明する。被試験物２１０の材質や形状は任意である。本実施形態では、ゴムの引っ張り試験を行うこととし、被試験物２１０は、ダンベル形試験片を使用することとする。周知の通り、ゴムのダンベル形試験片は、図１５の様に中央に断面積が小さく成形された被試験領域２１５があり、両端に面積の大きい保持部２１６がある。被試験領域２１５は荷重を受けて破断する部位である。
【００８５】
繋ぎ部材２１１は、被試験物２１０の保持部２１６を延長する部材であり、延長部材２１７と圧接片２１８によって構成されている。
延長部材２１７は、被試験物２１０の保持部２１６が合致する凹部（図示せず）が端部に形成された鋼帯である。
圧接片２１８は、延長部材２１７の端部にネジ止めされる板体である。
被試験物２１０は、保持部２１６が延長部材２１７の凹部（図示せず）に装着され、さらに圧接片２１８が延長部材２１７にネジ止めされ、圧接片２１８と延長部材２１７との間に被試験物２１０の端部が挟まれる。その結果、被試験物２１０と繋ぎ部材２１１が一体化され、二つの繋ぎ部材２１１の間に被試験物２１０の被試験領域２１５が露出する。
【００８６】
本実施形態では、繋ぎ部材２１１が副試験室１５の断熱壁３２を連通する。即ち繋ぎ部材２１１が副試験室１５の断熱壁３２を連通する貫通孔１０５（ブロック体１００の貫通孔１０５）に挿入される。ブロック体１００の貫通孔１０５の平面断面形状は、繋ぎ部材２１１の断面形状に対して相似形となっている。
前記した様に、ブロック体１００の貫通孔１０５は、開口部分が他の部位に比べてやや狭くなっている。図１８（ａ）は、貫通孔１０５の最も面積が狭い部分と繋ぎ部材２１１の関係を表した平面断面図であり、（ｂ）は正面断面図である。
貫通孔１０５の最も面積が狭い部分の内壁と、繋ぎ部材２１１の間の隙間は、平均で０．５ｍｍから３ｍｍであり、より望ましくは平均で１ｍｍから２ｍｍである。
また貫通孔１０５の最も面積が狭い部分の内壁と、繋ぎ部材２１１の間の隙間の面積は、挿通される物（本実施形態では繋ぎ部材２１１）の断面積の３倍以下であることが望ましい。より望ましくは、２倍以下である。さらに望ましくは１倍以下である。
【００８７】
次に外力付与装置載置台３００について説明する。外力付与装置載置台３００は、単なるテーブルであり、外力付与装置２００を載せる載置板３０２と、載置板３０２を中空に支持する脚部３０３とを有している。
【００８８】
恒温槽用架台３０１は、台座部３０５と、テレスコピックガイド３０６を有している。台座部３０５は、略立方体であり、ある程度の重量を有している。台座部３０５には高さ調整手段３１０が設けられている。高さ調整手段３１０は、公知のものであり、台座部３０５の全高や、水平レベルを微調整することができるものである。調整手段３１０は具体的にはネジであり、ネジを回転させてネジの出入り量を調整し、台座部３０５の全高や、水平レベルを微調整するものである。
【００８９】
テレスコピックガイド３０６は、台座部３０５の上面に配されたものであり、２本の伸縮棹３１１（図１には一本のみを図示）が平行に設けられたものである。伸縮棹３１１は、固定側部材と可動側部材（いずれも図示せず）を有しており、固定側部材に対して可動側部が直線方向に移動可能である。従って伸縮棹３１１は、可動側部を移動させることによってその全長を伸縮させることができる。
テレスコピックガイド３０６は、各伸縮棹３１１の固定側部材が台座部３０５の上面に固定されている。そして伸縮棹３１１の全長を伸ばすと、可動側部が台座部３０５から片持ち状に張り出す。
【００９０】
なお外力付与装置載置台３００と恒温槽用架台３０１は、外力付与装置２００と環境試験装置１の高さ等を合わせたり、両者を作業しやすい高さに保持するための部材に過ぎず、必須ではない。もちろん、テレスコピックガイド３０６や調整手段３１０等についても必須ではない。テレスコピックガイド３０６は、環境試験装置１の下に空間をつくることができるので推奨される部材であるが、断熱箱１３の突出量が大きく、且つ断熱箱１３が高い位置にある場合には、テレスコピックガイド３０６は不要である。
【００９１】
光学式伸び検知装置２２０はビデオカメラであり、被試験物２１０を撮影し、被試験物２１０の伸びを記録するものである。前記した様に光学式伸び検知装置２２０についても必須ではなく、他の代替手段を採用することもできる。
【００９２】
次に試験装置１０を構成する各部材間の関係について説明する。
本実施形態の試験装置１０は、前記した様に環境試験装置１と、外力付与装置２００によって構成されている。
外力付与装置２００は、図１の様に、外力付与装置載置台３００の載置板３０２上に載置されている。
環境試験装置１は、突出部たる断熱箱１３が外力付与装置２００の門型フレーム２０２に囲まれた空間に入る様に設置されている。
より詳細には、図１の様に、外力付与装置２００の背面側に恒温槽用架台３０１が配置されており、恒温槽用架台３０１のテレスコピックガイド３０６の可動側部によって環境試験装置１が恒温槽用架台３０１の台座部３０５から張出した状態で支持されている（張出すことは必須ではない）。そして環境試験装置１は、恒温槽用架台３０１のテレスコピックガイド３０６で片持ち状に支持され、環境試験装置１の突出部たる断熱箱１３が外力付与装置２００の門型フレーム２０２内に差し入れられている。
特に本実施形態では、試験を行う副試験室１５（断熱箱１３）が本体部１１から水平方向に突出していて本体部１１から中空に張り出しているから、断熱箱１３は外力付与装置２００の基台部２０１とは接せず、断熱箱１３と外力付与装置２００には広い空間２２２が確保される。
【００９３】
そして外力付与装置２００の上ロッド２０５及び上側掴み具（保持部材）２０６は、断熱箱１３の上にある。
即ち本実施形態では、上側掴み具２０６は、断熱箱１３（断熱領域７）の外にあり、副試験室１５には入っていない。
また外力付与装置２００の下ロッド２０７側も同様であり、外力付与装置２００の下ロッド２０７及び下側掴み具（保持部材）２０８は、断熱箱１３の下にある。本実施形態では、下側掴み具２０８は、断熱箱１３の外にあり、副試験室１５には入っていない。
前記した様に、本実施形態で採用する環境試験装置１は、引っ張り試験を実施する副試験室１５（断熱箱１３）が本体部１１から水平方向に突出していて本体部１１から中空に張り出しているから、断熱箱１３と外力付与装置２００の基台部２０１の間には広い空間２２２があり、当該空間２２２に外力付与装置２００の下側掴み具２０８が配置されている。
【００９４】
環境試験装置１の副試験室１５と、外力付与装置２００とは設置の際に芯合わせが行われている。即ち外力付与装置２００の上ロッド２０５と下ロッド２０７を結ぶ線に、断熱箱１３の上下の貫通孔１０５の中心が完全に一致する様に調整されている。
芯合わせ作業では、先に台座部３０５の高さ調整手段３１０を調節して環境試験装置１が水平姿勢となる様に調整する。
その後、断熱箱１３を取り付けているネジ６８を調節して、クッション材７２の圧縮量に部分的に変化を付け、断熱箱１３の姿勢を調節して、上ロッド２０５と下ロッド２０７を結ぶ線に、断熱箱１３の上下の貫通孔１０５の中心を合わせる。
【００９５】
本実施形態では、断熱箱１３の外に設けられた外力付与装置２００の上側掴み具２０６と下側掴み具２０８によって、繋ぎ部材２１１の延長部材２１７が保持されている。そして図３，９，１１，１４の様に、繋ぎ部材２１１の上下の延長部材２１７が、環境試験装置１の貫通孔１０５を貫通し、被試験物２１０の被試験領域２１５が副試験室１５の中に設置されている。
より正確には、環境試験装置１の断熱箱１３の天面壁３５と底面壁３６に内蔵されたブロック体１００の上下に貫通する貫通孔１０５に、上下の延長部材２１７の一部が挿通され、中央の被試験領域２１５が副試験室１５の中に設置されている。
【００９６】
本実施形態では、外力付与装置２００の上側掴み具２０６と下側掴み具２０８が、断熱箱１３及び副試験室１５の外にある。そして繋ぎ部材２１１が断熱箱１３の断熱壁３２を通過して副試験室１５内に配置された被試験物２１０と外力付与装置２００の上側掴み具２０６と下側掴み具２０８を繋いでいる。
【００９７】
副試験室１５の中における被試験物２１０の位置は、図９、図１１の通りであり、主試験室１６内に設けられたダクト５５の開口の前に被試験物２１０の被試験領域２１５があるように設置される。
【００９８】
光学式伸び検知装置２２０たるビデオカメラは、図１の様に副試験室１５の小扉３１の前に設置され、小扉３１にはめ込まれたガラス４２越しに副試験室１５内の被試験物２１０を撮影することができる。
【００９９】
次に、本実施形態の試験装置１０を使用して引っ張り試験を行う際の手順について説明する。
本実施形態の試験装置１０を使用して引っ張り試験を行う場合は、所定の作業場で被試験物２１０に繋ぎ部材２１１を接続する。
そして被試験物２１０を副試験室１５内に設置する。
具体的には、まず最初に環境試験装置１の小扉３１を開く。
前記した様に、環境試験装置１の副試験室１５の天面壁３５と底面壁３６には、小扉３１と本体側筐体部３３の合致部に形成された洞穴状の空洞部４５，４６があり、空洞部４５，４６にブロック体１００が内蔵されている。小扉３１を開くと、図３の様にブロック体１００が分割され、小扉３１に一方のブロック片１１１が残り、本体側筐体部３３側にブロック片１１１の他方が残る。
ブロック片１１１の合わせ面には、前記した様に貫通孔１０５の半面たる凹部があり、小扉３１を開くと、本体側筐体部３３側に残ったブロック片１１１の凹部が露出する。
【０１００】
そして被試験物２１０又は繋ぎ部材２１１を本体側筐体部３３側のブロック片１１１の凹部（貫通孔１０５の半面）に差し込んで、外部に配置された掴み具２０６，２０８で挟む。
【０１０１】
本実施形態では、繋ぎ部材２１１の延長部材２１７の先端に図１２の様に補助板１２０が装着され、延長部材２１７と補助板１２０とを合わせた状態で、繋ぎ部材２１１を掴み具２０６，２０８で挟んでいる。補助板１２０は、被試験物２１０の中心線とロッド２０５，２０７や副試験室１５の中心線を合わせるために介在されるものであり、その厚さは圧接片２１８の厚さと等しい。
【０１０２】
その結果、被試験物２１０の被試験領域２１５を副試験室１５の中に残した状態で、上下の繋ぎ部材２１１の一部が断熱箱１３の外（上下）に出た状態となる。
この状態で断熱箱１３の小扉３１を閉じる。その結果、断熱箱１３の本体側筐体部３３と小扉３１によって副試験室１５が閉塞状態となる。
即ち断熱領域７の一部たる副試験室１５に被試験物２１０の被試験領域２１５が設置され、副試験室１５の外に配置された上下の掴み具２０６，２０８と被試験物２１０とが貫通孔１０５に挿通された上下の繋ぎ部材２１１を介して繋がった状態となる。
通孔１０５に挿通された上下の繋ぎ部材２１１を介して繋がった状態となる。
【０１０３】
上記した手順では、本体側筐体部３３に残ったブロック片１１１の凹部（貫通孔１０５の半面）に繋ぎ部材２１１を差し込み、小扉３１を閉じてブロック片１１１同士を合わせるものであるが、小扉３１側に残ったブロック片１１１の凹部（貫通孔１０５の半面）に繋ぎ部材２１１を差し込み、小扉３１を閉じてブロック片１１１同士を合わせてもよい。
【０１０４】
なお被試験物２１０又は繋ぎ部材２１１をブロック体１００に装着した後に、ブロック体１００を本体側筐体部３３又は小扉３１に嵌め込んでもよい。
即ち環境試験装置１からブロック体１００を取り外し、外部の所定の作業場所でブロック体１００を二つのブロック片１１１に分割し、両者の間に被試験物２１０又は繋ぎ部材２１１を挟んで二つのブロック片１１１を合わせる。この作業によって、ブロック体１００の貫通孔１０５に被試験物２１０又は繋ぎ部材２１１が挿通されることとなる。
そして環境試験装置１の小扉３１を開き、空洞部４５，４６の本体側筐体部３３側又は小扉３１側にブロック体１００を装着し小扉３１を閉じる。そして被試験物２１０又は繋ぎ部材２１１を外部に配置された掴み具２０６，２０８で挟む。
【０１０５】
その後、負圧発生装置１１２又は乾燥気体供給源（窒素ボンベ１１３）を起動すると共に、空調部４８を起動して、所定の温度に調整された空気を主試験室１６内と、副試験室１５に循環させ、断熱領域７内を所定の温度環境に維持する。
そして外力付与装置２００を起動し、上ロッド２０５を一定の速度で上昇させて被試験物２１０に引っ張り荷重を掛け、被試験物２１０の被試験領域２１５を破断する。そしてその間の試料の伸びと荷重の関係を記録する。
即ち被試験物２１０に引っ張り荷重を掛け、その間の外形変形状態を光学式伸び検知装置２２０で撮影する。そして被試験物２１０の伸びと、被試験物２１０に付加された荷重とを関連付けて記録する。
【０１０６】
光学式伸び検知装置２２０で被試験物２１０を撮影する場合には、図１の様に断熱箱１３の側面に設けられた小窓４１の外にライト２２１を置き、小窓４１から入光して被試験物２１０を照らすことが望ましい。
断熱箱１３の側面から被試験物２１０を照らして撮影すると、副試験室１５の小扉３１のガラス４２の反射による影響を受けにくく、鮮明な映像を得ることができる。
【０１０７】
試験中における環境試験装置１内の空気の流れは、図９の矢印の通りである。即ち空調部４８の送風機２０を起動することにより、主試験室１６内の空気が空気導入部２７から空調通風路２５内に導入される。そして空調通風路２５が通風状態となり、空調機器１８に空気が接触して熱交換や湿度調整がなされ、空気吹き出し部２６から主試験室１６内に調整後の空気が吹き出される。
ここで本実施形態の試験装置１０では、空調通風路２５の空気吹き出し部２６にダクト５５の一端が開口している。そしてダクト５５の他端は、副試験室１５に開口し、被試験物２１０の被試験領域２１５に向いている。
そのため空気吹き出し部２６から吹き出された送風は、直接的に副試験室１５に吹き込まれ、被試験物２１０の被試験領域２１５に直接的に当てられる。
被試験物２１０の設置領域を通過した送風は、ダクト５５の外を回り込んで、主試験室１６側に戻り、空気導入部２７から空調通風路２５内に再導入される。
【０１０８】
本実施形態では、ダクト５５からの送風は、被試験物２１０が配置された領域に吹き出されるから、副試験室１５の空気の流れを考えると、被試験物２１０の部位が最も上流側となり、環境試験装置１の上下の貫通孔１０５（ブロック体１００の貫通孔１０５）は、空気の流れ方向としては下流側となる。
被試験物２１０が配置された領域は高圧雰囲気となるが、下流側にある貫通孔１０５の周囲は、被試験物２１０の周囲に比べると低圧傾向となる。
そのため副試験室１５内における貫通孔１０５の周辺は、低圧傾向であり、貫通孔１０５から外に向かって空気が漏れにくく、且つ空気の流れによって、貫通孔１０５周辺からの外乱から被試験領域２１５が守られるので温度精度が良い。
【０１０９】
また本実施形態では、副試験室１５の内外を連通する貫通孔１０５の開口面積は、繋ぎ部材２１１が挿通し得るだけの開口面積でしかなく、そもそも開口面積は小さい。さらに貫通孔１０５の内壁と、繋ぎ部材２１１との隙間が小さく設定されているから、実際の開口面積は極めて小さく、副試験室１５内の空気は貫通孔１０５から漏れにくい。
【０１１０】
さらに加えて本実施形態では、ブロック体１００が収容された空洞部４５，４６に配管４７が接続され、配管４７の他端は負圧発生装置１１２に接続されていて、空洞部４５，４６内が吸引可能である。
そのため空洞部４５，４６の内側の側壁１１０と、ブロック体１００の側面の凹部１０３との間の空隙１０８を負圧傾向とでき、空洞部４５，４６と覆い板５６ａ，５６ｂ，５６ｃ，５６ｄとの隙間から副試験室１５内の空気が漏れることが阻止される。
【０１１１】
またブロック体１００の側面に設けられた水平方向にのびる貫通孔１０６が副試験室１５の内外を連通する貫通孔１０５と繋がっているから、副試験室１５の内外を連通する貫通孔１０５内を負圧傾向とでき、貫通孔１０５から副試験室１５内の空気が漏れることが阻止される。
従って、本実施形態においては、空洞部４５，４６と覆い板５６ａ，５６ｂ，５６ｃ，５６ｄとの隙間や、貫通孔１０５から副試験室１５内の空気が漏れる懸念は低い。
副試験室１５内の空気が仮に高温高湿であったとしても内部の高温高湿の空気が漏れて結露する懸念は低い。
【０１１２】
また繋ぎ部材２１１と貫通孔１０５は、直接的に接触しない。そのため引っ張り試験の実施中は、繋ぎ部材２１１が上又は下に移動するが、接触による抵抗は発生せず、荷重計は、試料に掛けられた引っ張り荷重を正確に検知することができる。
【０１１３】
一つの被試験物２１０を破断した後、再度他の被試験物２１０を対象として試験を行う場合は、断熱箱１３の本体側筐体部３３に設けられたスリット５０に、板５１を差し入れる。
板５１は、図１０の様に副試験室１５と主試験室１６の間に入り、副試験室１５側と主試験室１６側との通気を遮断する。即ち板５１は、主試験室１６と副試験室１５の間を一時的に遮蔽する遮蔽部材として機能する。
空調通風路２５から排出された空気は、板５１と衝突して空調通風路２５に戻る。即ち空気は主試験室１６と空調通風路２５の間だけで循環し、副試験室１５には至らない。
【０１１４】
こうして主試験室１６と空調通風路２５の間だけで空気を循環させ、小扉３１を開いて副試験室１５を開放する。環境試験装置１内においては、主試験室１６で構成される密閉空間内に空気を循環させる。そのため仮に低温低湿環境で引っ張り試験を行った後で小扉３１を開いた場合でも、外気が空調通風路２５に侵入することが防止され、空調機器１８の冷却装置２２に過度に霜や結露が発生することが防止される。
【０１１５】
そして被試験物２１０に接続された繋ぎ部材２１１を開放側に引っ張り、ブロック体１００から繋ぎ部材２１１を取り出す。
その後に、前述の手順で新たな被試験物２１０を副試験室１５内に入れ、試験を繰り返す。
【０１１６】
以上説明した実施形態では、空洞部４５，４６や、貫通孔１０５を負圧傾向として貫通孔１０５から副試験室１５内の空気が漏れることを防いだが、副試験室１５内が氷点下の場合は、回路を切り替えて槽内空気よりも低露点の空気又は窒素ガスを流入させ、貫通孔内や外部への氷結や結露を防止することができる。
図１９は、空洞部４５，４６に窒素ガスを導入した場合の気体の流れを図示している。窒素ガスは、空洞部４５，４６の内側の側壁１１０と、ブロック体１００の側面の凹部１０３との間の空隙１０８に入り、ブロック体１００と空洞部４５，４６の内側の側壁１１０との間に窒素ガスによる遮断層を作り、覆い板５６ａ，５６ｂ，５６ｃ，５６ｄとの隙間から副試験室１５内の空気が漏れることを阻止する。
また窒素ガスは、ブロック体１００の貫通孔１０６を流れて上下に連通する貫通孔１０５に入り、繋ぎ部材２１１の全周を取り巻いて流れる。
【０１１７】
また窒素ガスは、上下に連通する貫通孔１０５の副試験室１５側の開口から断熱領域７に入る。ここで貫通孔１０５の断熱領域７側の開口は、前記した様に被試験物２１０が設置される部位に比べて空気の流れ方向の下流側に位置している。
そのため貫通孔１０５から副試験室１５に入った窒素ガスは、その全てが空気と共に空気導入部２７に向かって流れ、被試験物２１０には当たらないから試験に影響を与えない。
【０１１８】
また貫通孔１０５と繋ぎ部材２１１の間の空隙は、窒素ガスで満たされている。従って副試験室１５内の空気が外に漏れにくい。また外の空気は、副試験室１５内に入り込み難い。
そのため仮に試験室１５内の空気が極低温であったとしても、副試験室１５の空気が直接外気と接触することはなく、外気を冷却することは少ない。そのため外気中の水蒸気を凝縮することは少なく、結露や結氷が発生しにくい。また貫通孔１０５の外部側開口の周囲には、少量ずつ窒素ガスがオーバーフローするので、外部側開口は、低露点ガス雰囲気となり、結露や結氷が発生しにくい。
【０１１９】
以上説明した実施形態では、ブロック体１００の大きさを空洞部４５，４６と同等とし、ブロック体１００の各部を空洞部４５，４６の内壁に当接させた。
しかし図２０、図２１に示すブロック体１３０の様に、空洞部４５，４６に比べて小さなものとし、ブロック体１３０が空洞部４５，４６内で移動できる様にしてもよい。
【０１２０】
図２０、図２１に示すブロック体１３０は円柱状である。ブロック体１３０は、半円柱状のブロック片１３１をネジで結合して作られたものであり、中心部に貫通孔が設けられている。本実施形態では、空洞部４５，４６の形状はブロック片１３１に合わせて円柱形である。
【０１２１】
ブロック体１３０は、前記した様に空洞部４５，４６に比べて小さく、空洞部４５，４６内で動き得る。
そのため図１９の様に、外部からブロック体１３０の貫通孔１０５に繋ぎ部材２１１を挿入すると、空洞部４５，４６内でブロック体１３０が移動する。
その状態で、繋ぎ部材２１１を外力付与装置２００の掴み具２０６，２０８に接続すると、ブロック体１３０が、空洞部４５，４６内で移動して自動的に芯合わせが行われる。
【０１２２】
あるいは仮に、ブロック体１３０の貫通孔１０５の側面に繋ぎ部材２１１の一部等が接触した状態で引っ張り試験を開始し、試験中に外力付与装置２００に引っ張られて空洞部４５，４６内で繋ぎ部材２１１が僅かに上下動すると、ブロック体１３０が繋ぎ部材２１１との摩擦によって移動し、自動的に芯合わせがなされる。
【０１２３】
また前記したブロック体１００，１３０は、いずれも半割り状であり、二つのブロック片１１１，１３１を合わせて一つのブロック体１００，１３０が構成されているが、ブロック体１００，１３０は図２６に示すブロック体１４０の様に成形時から一体のものであってもよい。
図２６に示すブロック体１４０の形状等は、前記したブロック体１００と同一であるから、同一の部位に同一の番号を付して重複した説明を省略する。
図２６に示すブロック体１４０は、一つの側面に切れ目１０７が設けられている。切れ目１０７は、上下に貫通する貫通孔１０５と平行に設けられており、両端はブロック体１４０の上下面１０１ａ，１０１ｂに至っている。
切れ目１０７の深さは、上下に貫通する貫通孔１０５にまで至っている。
【０１２４】
ブロック体１４０は、断熱箱１３の空洞部４５，４６内に内蔵されているが、本体側筐体部３３とブロック体１４０との間には図示しない係合手段又は接着手段があり、小扉３１を開いた際には、図２５の様にブロック体１４０は本体側筐体部３３側に残る。なお小扉３１側にブロック体１４０を残してもよい。
ブロック体１４０の向きは、図２５の様に小扉３１を開いた際に切れ目１０７が外部に露出する方向である。
またブロック体１４０に被試験物２１０又は繋ぎ部材２１１を設置した後に、本体側筐体部３３又は小扉３１にブロック体１４０を設置しても良い。
【０１２５】
前記した様にブロック体１４０の一つの側面には、図２５、図２６の様に切れ目１０７が設けられており、小扉３１を開いた際に切れ目１０７の部分が露出する。また切れ目１０７は、上下に貫通する貫通孔１０５と平行に設けられており、両端はブロック体１４０の上下面１０１ａ，１０１ｂに至っている。
【０１２６】
そのため被試験物２１０に接続された繋ぎ部材２１１を切れ目１０７に押し当て、繋ぎ部材２１１を切れ目１０７に押し込むと、ブロック体１４０の弾性によって切れ目１０７が押し広げられ、繋ぎ部材２１１は切れ目１０７の中に割り込んで行き、ブロック体１４０の中に入る。そして遂には、繋ぎ部材２１１はブロック体１４０を上下に貫通する貫通孔１０５に到達し、繋ぎ部材２１１は貫通孔１０５に挿通された状態となる。
【０１２７】
また以上説明した実施形態では、断熱箱１３の本体側筐体部３３にスリット５０を設け、スリット５０に板５１を差し入れることによって副試験室１５側と主試験室１６側との通気を遮断した。
他の構成としては、図２２の様に、副試験室１５側と主試験室１６の境界部分に開閉扉８０を設け、ワイヤーやリンク機構等で小扉３１と開閉扉８０を連動させ、小扉３１が開くと開閉扉８０が閉じる様な構成としてもよい。なおこの構成を採用する場合には、ダクト５５は省略することが望ましい。
【０１２８】
以上説明した実施形態では、一対の掴み具２０６，２０８の双方を断熱領域７の外に置いたが、いずれか一方を断熱領域７の外に置き、他方を断熱領域７の内に入れてもよいし、双方を断熱領域７の内に入れてもよい。
以上説明した実施形態では、被試験物２１０に繋ぎ部材２１１を設け、繋ぎ部材２１１で被試験物２１０を実質的に延長して断熱領域７の外に出した。
しかしながら、被試験物の形状によっては被試験物の一部を貫通孔１０５に挿通し、被試験物の一部を断熱領域７の外に出して掴み具２０６，２０８で保持してもよい。
例えばゴムのダンベル形試験片では、中央に断面積が小さく成形された被試験領域２１５があり、両端に面積の大きい保持部２１６があるが、保持部２１６を長く成形し、保持部２１６を直接貫通孔１０５に挿通し、保持部２１６の一部を断熱領域７の外に出して掴み具２０６，２０８で保持してもよい。
要するに、被試験物の被試験領域２１５が断熱領域７に有れば足りる。
【０１２９】
また以上説明した実施形態は、小型の環境試験装置の前扉に副試験室１５を取り付けたものであって、副試験室１５が本体部１１から突出した位置にある。
この構成によると、副試験室１５の上下や左右に空間ができ、他の物を配置しやすい。特に、下側掴み具２０８を配置するスペースを確保することができ、推奨される構成である。
また上記した実施形態では、主試験室１６を使用して通常の環境試験を行うこともでき、汎用性に富む。即ち本体部１１には大扉１２があり、大扉１２を開くことによって主試験室１６を開くことができる。そして主試験室１６に被試験物をおいて環境試験を実施することができる。なおこの際には、主試験室１６のダクト５５を外すと共に大扉１２の開口３０を板等で塞いでおくことが推奨される。
また上記した実施形態は、通常の小型の環境試験装置を改造して作ることができ、部品の汎用性が高い。また量産性に富む。
【０１３０】
以上説明した実施形態では、環境試験装置１は、温度環境を調整する機能と湿度環境を調整する機能を有しているが、本発明で採用可能な環境試験装置は、上記のものに限定されず、温度と湿度のいずれかを調整することができるものであればよい。
【０１３１】
上記した実施形態は、いずれも複合型の引っ張り試験機であるが、本発明は、引っ張り試験機に限定されるものではなく、圧縮試験機、剪断試験機、硬さ試験機、衝撃試験機、クリープ試験機等の他の試験機にも応用することができる。
以上説明した実施形態では、上下の掴み具２０６，２０８をいずれも副試験室１５の外に配置したが、上下の掴み具２０６，２０８の一方又は双方を副試験室１５の中に配置してもよい。
【０１３２】
また以上説明した実施形態は、被試験物に外力を加える機器を副試験室１５の近傍に配する例を示したが、本発明は、この構成に限定されるものではなく、被試験物に特定の光や電磁波等を照射する装置や、被試験物を連続的に副試験室１５に供給する装置を副試験室１５の近傍に設けてもよい。
【０１３３】
図２３に示す環境試験装置３２０は、副試験室１５の左右の側壁にスリット３２１を設えている。図２１に示す環境試験装置３２０は、連続した細長いフィルム３２２を被試験物とし、これを連続的に副試験室１５に導入して環境試験を行うものである。
環境試験装置は、副試験室１５の左右に供給用ロール３２５と、巻き取り用ロール３２６を有し、供給用ロール３２５から細長いフィルム３２２がスリット３２１を介して副試験室１５に供給され、試験を終えたフィルム３２２が他方のスリットから排出されて巻き取り用ロールに巻き取られてゆく。
【０１３４】
また図２４に示す環境試験装置３５０は、副試験室１５の左右の側壁にスリット３５１を設えたものであり、副試験室１５の近傍に被試験物供給用のコンベア装置３５２が配されたものである。
コンベア装置３５２は、ベルトコンベアであり、複数のプーリ３５６に無端ベルト３５７が懸架されているる。そして無端ベルト３５７は、副試験室１５の一方のスリット３５１と他方のスリットを通過し、搬送経路の中途に副試験室１５が含まれる。
【０１３５】
コンベア装置３５０の近傍には、小型のロボット３６０，３６１が２台配置されている。一方のロボット３６０は、コンベア装置３５２に被試験物３６２を載せる装置であり、他方のロボット３６１は、コンベア装置３５０から被試験物３６２を取り去る装置である。
環境試験装置３５０では、一方のロボット３６０で被試験物をコンベア装置３５０に載置し、コンベア装置３５０を駆動して被試験物３６２を副試験室１５内に導入する。また試験を終えて副試験室１５から排出された被試験物を他方のロボット３６１で取り除く。    
【０１３６】
本発明の環境試験装置１，３２０，３５０は、内部で材料や製品の性能等を試験する用途に利用するものとして開発されたが、所定の環境下で、部材を加工する用途に使用することもできる。
【０１３７】
以上説明した環境試験装置１，３２０，３５０は、環境試験装置（本体部１１）に副試験室ユニット（断熱箱１３）をネジ６８で外付けしたものであるが、大扉１２と断熱箱１３を不可分一体に成形してもよい。
【符号の説明】
【０１３８】
１  環境試験装置
７  断熱領域
１０  試験装置
１１  本体部
１２  大扉
１３  断熱箱
１５  副試験室
１６  主試験室
１８  空調機器
２８  断熱壁
３１  小扉
３２  断熱壁
４８  空調部
５１  板（遮蔽部材）
２００  外力付与装置
２０６，２０８  掴み具（保持部材）
２１０  被試験物
３２０，３５０  環境試験装置
【図１】
0006435246.tif 000002
【図２】
0006435246.tif 000003
【図３】
0006435246.tif 000004
【図４】
0006435246.tif 000005
【図５】
0006435246.tif 000006
【図６】
0006435246.tif 000007
【図７】
0006435246.tif 000008
【図８】
0006435246.tif 000009
【図９】
0006435246.tif 000010
【図１０】
0006435246.tif 000011
【図１１】
0006435246.tif 000012
【図１２】
0006435246.tif 000013
【図１３】
0006435246.tif 000014
【図１４】
0006435246.tif 000015
【図１５】
0006435246.tif 000016
【図１６】
0006435246.tif 000017
【図１７】
0006435246.tif 000018
【図１８】
0006435246.tif 000019
【図１９】
0006435246.tif 000020
【図２０】
0006435246.tif 000021
【図２１】
0006435246.tif 000022
【図２２】
0006435246.tif 000023
【図２３】
0006435246.tif 000024
【図２４】
0006435246.tif 000025
【図２５】
0006435246.tif 000026
【図２６】
0006435246.tif 000027